(57)【要約】【課題】自動リセット式電子装置及び自動リセット方法を提供する。【解決手段】電子装置１は、主回路システム１１及び外部回路システム１２を備える。ここでは、主回路システム１１は起動状態信号及び給電状態信号を発信する。外部回路システム１２は起動状態信号及び給電状態信号を受信させ、これに基づき主回路システム１１に給電するスイッチ１２の導通／遮断状態を切り換え、電子装置１の起動異常が発生した場合、自動的に電源遮断／再通電させ、電子装置１を自動リセットする目的を実現する。【選択図】図１
2015122051.tif 000002
【特許請求の範囲】
【請求項１】
主回路システム及び外部回路システムを備える電子装置に応用され、
前記主回路システムは、メインボードからなり、前記メインボードに第一電力受電ユニット、第一制御ユニット、及び少なくとも１つの周辺ユニットが設置されており、
前記第一電力受電ユニットは、スイッチにより給電ユニットに電気的に接続されており、前記スイッチが導通状態を呈すると前記第一電力受電ユニットが、前記給電ユニットが供給する電力を受電し、前記メインボード、前記第一制御ユニット、及び前記周辺ユニットに給電を行い、前記第一制御ユニット或いは前記周辺ユニットの電圧に基づき給電状態信号を発信し、
前記第一制御ユニットは、前記周辺ユニットを駆動し前記周辺ユニットの機能を実行し、
前記外部回路システムは、第二制御ユニット及びタイマーユニットからなり、
前記第二制御ユニットは、前記第一制御ユニット、前記第一電力受電ユニット、及び前記スイッチに電気的に接続されており、前記第一制御ユニット及び前記第一電力受電ユニットから発信する信号を受信し、前記スイッチの導通状態または遮断状態を切り換え、
前記タイマーユニットは前記第二制御ユニットに電気的に接続されており、
前記第二制御ユニットが前記給電ユニットから供給される電力を受電後、前記タイマーユニットを駆動しタイマーをスタートするステップと、
第一所定時間が経過した後、前記第一制御ユニットからの起動状態信号を受信するステップと、
前記起動状態信号が未受信である場合、或いは前記起動状態信号が前記主回路システムの起動異常を示す場合、前記スイッチに対し遮断信号を発信し、前記スイッチを遮断状態に切り換えるステップと、
前記第一電力受電ユニットからの前記給電状態信号を受信し、前記主回路システムの電源遮断状態を確認するステップと、
前記タイマーユニットを駆動してタイマーをスタートするステップと、
第二所定時間が経過後、前記スイッチに対し導通信号を発信し、前記スイッチを導通状態に切り換えるステップと、
前記第一電力受電ユニットからの前記給電状態信号を受信し、前記主回路システムの正常給電状態を確認するステップと、
前記タイマーユニットを再駆動し、タイマーをスタートし、前記第一所定時間が経過した後、前記第一制御ユニットからの他の起動状態信号を受信するステップと、
前記起動状態信号或いは前記他の起動状態信号が前記主回路システムの正常起動を示す場合、プロセスを終了するステップを実行すすることを特徴とする自動リセット方法。
【請求項２】
前記外部回路システムは、前記第二制御ユニットに電気的に接続されるカウントユニットを更に有し、
前記第二制御ユニットは、
前記カウントユニットを駆動し前記主回路システムのリセット回数をカウントするステップと、
リセット回数が閾値に達すると、リセットの条件を調整するか、或いはシステムのリセットを停止するステップを実行することを特徴とする請求項１に記載の自動リセット方法。
【請求項３】
前記第二制御ユニットがリセットの条件を調整する場合、リセットの間隔を調整するステップを実行することを特徴とする請求項２に記載の自動リセット方法。
【請求項４】
前記外部回路システムは、通知ユニットを更に備え、
前記第二制御ユニットは、システムのリセットが停止した後、前記通知ユニットを駆動し通知メッセージを表示するステップを実行することを特徴とする請求項２に記載の自動リセット方法。
【請求項５】
前記第二制御ユニットは、前記給電ユニットに電気的に接続されており、前記給電ユニットが供給する電力を直接に受電することを特徴とする請求項２〜４の何れか１項に記載の自動リセット方法。
【請求項６】
前記第二制御ユニットは、他の給電ユニットに電気的に接続されており、前記他の給電ユニットが供給する電力を受電することを特徴とする請求項２〜４の何れか１項に記載の自動リセット方法。
【請求項７】
前記外部回路システムは、前記給電ユニットに電気的に接続される第二電力受電ユニットを更に有し、前記給電ユニットが供給する電力を前記第二電力受電ユニットにより受電することを特徴とする請求項２〜４の何れか１項に記載の自動リセット方法。
【請求項８】
前記外部回路システムは、他の給電ユニットに電気的に接続される第二電力受電ユニットを更に有し、前記他の給電ユニットが供給する電力を前記第二電力受電ユニットにより受電することを特徴とする請求項２〜４の何れか１項に記載の自動リセット方法。
【請求項９】
主回路システム、および外部回路システムを備え、
前記主回路システムは、
メインボードと、
前記メインボードに設置され、スイッチにより給電ユニットに電気的に接続され、前記スイッチが導通状態を呈すると前記給電ユニットが供給する電力を受電し、前記メインボード及び前記メインボードに設置されている他の部材に電力を供給する第一電力受電ユニットと、
前記メインボードに設置され、前記メインボードにより前記第一電力受電ユニットが供給する電力を受電し、前記第一電力受電ユニットにより電圧が検知され、その電圧に基づき前記第一電力受電ユニットが給電状態信号を発信し、前記主回路システムの起動が正常であるか否かに基づき起動状態信号を発信すする第一制御ユニットと、
前記メインボードに設置され、前記第一電力受電ユニットが供給する電力を受電し、前記第一電力受電ユニットにより電圧が検知され、その電圧に基づき前記第一電力受電ユニットが給電状態信号を発信し、前記第一制御ユニットに電気的に接続されていると共に前記第一制御ユニットにより駆動される少なくとも１つの周辺ユニットとを含み、
前記外部回路システムは、
前記第一制御ユニット、前記第一電力受電ユニット、及び前記スイッチに電気的に接続されており、前記第一制御ユニット及び前記第一電力受電ユニットから発信する信号を受信し、前記スイッチの導通および遮断状態を切り換える第二制御ユニットと、
前記第二制御ユニットに電気的に接続されているタイマーユニットと、を有し、
前記第二制御ユニットは、
前記給電ユニットが供給する電力を受電すると、前記タイマーユニットを駆動しタイマーをスタートさせ、第一所定時間が経過後、前記主回路システムが正常起動したことを示す前記起動状態信号を受信したか否かを判断し、前記主回路システムに起動異常が発生したと判断すると前記スイッチに遮断信号を発信し、前記スイッチを遮断状態に切り換え、続前記第一電力受電ユニットから発信した前記給電状態信号に基づき前記主回路システムが電源遮断状態であると判断すると、再びタイマーをスタートさせ、第二所定時間が経過した後、前記スイッチに対し導通信号を発信し、前記スイッチを導通状態に切り換え、前記第一電力受電ユニットから発信する前記給電状態信号に基づき前記主回路システムが正常給電状態であると判断すると、再びタイマーをスタートさせ、第一所定時間経過後に前記主回路システムの正常起動を示す前記起動状態信号を受信したかを再度判断すすることを特徴とする自動リセット式電子装置。
【請求項１０】
前記外部回路システムは、前記第二制御ユニットに電気的に接続されているカウントユニットを更に有し、
前記第二制御ユニットは、前記カウントユニットを駆動し、前記主回路システムのリセット回数をカウントし、リセット回数が閾値に達するとリセットの条件を調整するか、或いはシステムのリセットを停止することを特徴とする請求項９に記載の自動リセット式電子装置。
【請求項１１】
前記第二制御ユニットは、リセットの間隔を調整することでリセットの条件を調整することを特徴とする請求項１０に記載の自動リセット式電子装置。
【請求項１２】
前記外部回路システムは通知ユニットを更に有し、
前記第二制御ユニットは、システムのリセットが停止した後、前記通知ユニットを駆動して通知メッセージを表示することを特徴とする請求項１０に記載の自動リセット式電子装置。
【請求項１３】
前記第二制御ユニットは前記給電ユニットに電気的に接続されており、前記給電ユニットが供給する電力を直接に受電することを特徴とする請求項１０〜１２の何れか１項に記載の自動リセット式電子装置。
【請求項１４】
前記第二制御ユニットは他の給電ユニットに電気的に接続されており、前記他の給電ユニットが供給する電力を受電することを特徴とする請求項１０〜１２の何れか１項に記載の自動リセット式電子装置。
【請求項１５】
前記外部回路システムは、前記給電ユニットに電気的に接続される第二電力受電ユニットを更に有し、前記給電ユニットが供給する電力を前記第二電力受電ユニットにより受電することを特徴とする、請求項１０〜１２の何れか１項に記載の自動リセット式電子装置。
【請求項１６】
前記外部回路システムは、他の給電ユニットに電気的に接続される第二電力受電ユニットを更に有し、前記他の給電ユニットが供給する電力を前記第二電力受電ユニットにより受電することを特徴とする請求項１０〜１２の何れか１項に記載の自動リセット式電子装置。  
【発明の詳細な説明】
【技術分野】
【０００１】
本発明は、自動リセット式電子装置及びその自動リセット方法に関する。
【背景技術】
【０００２】
マイクロエレクトロニクス技術の発展に伴い様々な機能を有する電子装置が登場し、人々の生活をより快適にしている。一般的には、これらの電子装置には各自独立した制御ユニットが設けられてシステム全体の動作状況を監視している。
【０００３】
従来の電子装置システムの制御ユニットは直接的或いは間接的（例えば、階層制の制御）に電子装置の各周辺ユニットを駆動して機能を実行する。従来のシステムの運用過程では、周辺ユニットの動作に異常が発生すると、制御ユニットは前述の異常を検知した後、動作異常を起こしている周辺ユニットに対し停止信号或いはリセット信号を送信し、周辺ユニットの機能を停止するか、或いは周辺ユニットをリセットし、システムの動作異常により不必要な被害が生じることを防ぐ（例えば、単一のネットワーク設備の異常により全てのネットワークシステムに故障が生じる）。
【先行技術文献】
【特許文献】
【０００４】
【特許文献１】特開平８−２１５０９４号公報
【発明の概要】
【発明が解決しようとする課題】
【０００５】
前述した従来の技術では、ある程度システムの自動修復を行える。しかしながら、全ての周辺ユニットが前述の方式で正常に再作動するわけではない。幾つかの周辺ユニット（例えば、何れかのチップセット）には専用のリセット信号ピンが設置されえておらず、電源の起動や終了に合わせてリセット（通称Power on Reset）されるのみである。これらの周辺ユニットに異常が発生すると（例えば、Chip crash）、制御ユニットは前述の方式では完全に正常に再作動できず、システム全体の異常動作を排除できない。
【０００６】
そこで、本発明者は上記の欠点が改善可能と考え、鋭意検討を重ねた結果、自動リセット式電子装置及び自動リセット方法を設計し、電子装置の起動異常が発生した場合に、自動的に電源遮断／再給電を行わせて電子装置を自動リセットする目的を実現した。
【０００７】
本発明は、このような従来の問題に鑑みてなされたものである。上記課題を解決するため、本発明は、自動リセット式電子装置及びその自動リセット方法を提供することを主目的とする。
【課題を解決するための手段】
【０００８】
上述した課題を解決し、目的を達成するために、本発明に係る自動リセット式電子装置は、主回路システムと、外部回路システムと、を備える。主回路システムは、メインボードと、第一電力受電ユニットと、第一制御ユニットと、少なくとも１つの周辺ユニットとを有する。
【０００９】
第一電力受電ユニットは、メインボードに設置され、スイッチにより給電ユニットに電気的に接続され、スイッチが導通状態を呈すると給電ユニットが供給する電力を受電し、メインボード及びメインボードに設置される他の部材に供給する。
第一制御ユニットは、メインボードに設置され、メインボードにより第一電力受電ユニットが供給する電力を受電し、第一電力受電ユニットにより電圧を検知し、それの電圧に基づき第一電力受電ユニットは給電状態信号を発信し、それは主回路システムの起動が正常かどうかに基づき起動状態信号を発信する。
【００１０】
周辺ユニットは、メインボードに設置され、メインボードにより第一電力受電ユニットが供給する電力を受電し、第一電力受電ユニットにより電圧を検知し、それの電圧に基づき第一電力受電ユニットは給電状態信号を発信し、それは第一制御ユニットに電気的に接続されると共に第一制御ユニットにより駆動される。
【００１１】
外部回路システムは第二制御ユニットおよびタイマーユニットを有する。第二制御ユニットは、第一制御ユニット、第一電力受電ユニット、及びスイッチに電気的に接続されている。第二制御ユニットは、第一制御ユニット及び第一電力受電ユニットから発信される信号を受信し、スイッチの導通／遮断状態を切り換える。タイマーユニットは第二制御ユニットに電気的に接続されている。タイマーユニットは、第二制御ユニットが給電ユニットから供給する電力を受電すると第二制御ユニットにより駆動されてタイマーをスタートさせる。第二制御ユニットは第一所定時間が経過した後に主回路システムが正常起動したことを示す起動状態信号を受信したかを判断し、主回路システムに起動異常が発生したと判断されるとスイッチに対し遮断信号を発信し、スイッチを遮断状態に切り換える。続いて第二制御ユニットが第一電力受電ユニットから発信された給電状態信号に基づき主回路システムが電源遮断状態にあると判断されると、タイマーユニットは第二制御ユニットにより再駆動されてタイマーをスターさせる。
【００１２】
ト第二制御ユニットは第二所定時間が経過した後にスイッチに対して導通信号を発信し、スイッチを導通状態に切り換える。第二制御ユニットは第一電力受電ユニットから発信される給電状態信号に基づき主回路システムが正常給電状態にあると判断されると、タイマーユニットは第二制御ユニットにより再駆動されてタイマーをスタートさせる。第二制御ユニットは第一所定時間を再度経過後に主回路システムの正常起動を示す起動状態信号が受信されたかを再度判断する。
【００１３】
また、本発明に係る電子装置の自動リセット方法は、主回路システム及び外部回路システムを備える電子装置に応用される。主回路システムはメインボードからなる。メインボードには第一電力受電ユニット、第一制御ユニット、及び少なくとも１つの周辺ユニットが設置される。電力受電ユニットはスイッチにより給電ユニットに電気的に接続され、スイッチが導通状態を呈すると第一電力受電ユニットは給電ユニットが供給する電力を受電してメインボード、第一制御ユニット、及び周辺ユニットに給電し、第一制御ユニット或いは周辺ユニットの電圧に基づき給電状態信号を発信する。第一制御ユニットは周辺ユニットを駆動して周辺ユニットの機能を実行する。外部回路システムは第二制御ユニット及びタイマーユニットからなると共に第一制御ユニット、メインボード、及びスイッチに電気的に接続され、第一制御ユニット及び第一電力受電ユニットから発信される信号を受信し、スイッチの導通／遮断状態を切り換える。タイマーユニットは第二制御ユニットに電気的に接続される。自動リセット方法は、第二制御ユニットに、給電ユニットが供給する電力を受電後、タイマーユニットを駆動してタイマーをスタートする。第一所定時間が経過した後、第一制御ユニットからの起動状態信号を受信する。
【００１４】
起動状態信号が未受信である場合、或いは起動状態信号が主回路システムの起動異常を示す場合、スイッチに対し遮断信号を発信し、スイッチを遮断状態に切り換える。第一電力受電ユニットからの給電状態信号を受信し、主回路システムの電源遮断状態を確認する。タイマーユニットを駆動してタイマーをスタートする。
第二所定時間が経過した後、スイッチに対し導通信号を発信し、スイッチを導通状態に切り換える。
第一電力受電ユニットからの給電状態信号を受信し、主回路システムの正常給電状態を確認する。
タイマーユニットを再駆動してタイマーをスタートし、再度第一所定時間が経過した後、第一制御ユニットからの他の起動状態信号を受信する。
起動状態信号或いは他の起動状態信号が主回路システムの正常起動を示す場合、プロセスを終了する。
【００１５】
本発明によれば、上述の電子装置の起動異常が発生した場合、自動的に電源遮断／再給電を行い、電子装置の自動リセットの目的を達成することができる。
【図面の簡単な説明】
【００１６】
【図１】本発明の一実施形態による自動リセット式電子装置の構造を示す模式図である。
【図２】本発明の一実施形態による自動リセット式電子装置及び自動リセット方法を示すフローチャートである。
【発明を実施するための形態】
【００１７】
本発明における実施形態について、添付図面を参照して説明する。尚、以下に説明する実施形態は、特許請求の範囲に記載された本発明の内容を限定するものではない。また、以下に説明される構成の全てが、本発明の必須要件であるとは限らない。
【００１８】
（一実施形態）
以下、本発明の一実施形態による自動リセット式電子装置及び自動リセット方法を図１〜２に基づいて説明する。自動リセット方法は電子装置１に応用される。電子装置１は主回路システム１１及び外部回路システム１２を備える。主回路システム１１はメインボード１１０を含み、メインボード１１０には第一電力受電ユニット１１１、第一制御ユニット１１２、及び少なくとも１つの周辺ユニット１１３が少なくとも設置される（例えば、各式のチップセットあるいは電子素子）。
【００１９】
また、第一電力受電ユニット１１１はスイッチ１３により給電ユニット１４に電気的に接続され、主回路システム１１は給電ユニット１４が供給する電力を受電する。スイッチ１３が導通状態を呈すると、第一電力受電ユニット１１１は給電ユニット１４が供給する電力を受電し、メインボード１１０、第一制御ユニット１１２、及び周辺ユニット１１３に供給する。第一制御ユニット１１２は周辺ユニット１１３を駆動してその機能を実行する。好ましい実施形態によると、第一電力受電ユニット１１１は第一制御ユニット１１２或いは周辺ユニット１１３の電圧に基づき給電状態信号を発信する。このほか、第一制御ユニット１１２は周辺ユニット１１３の動作状況に基づき起動状態信号を発信する。
【００２０】
なお、外部回路システム１２は第二制御ユニット１２１及びタイマーユニット１２２を備え、第二制御ユニット１２１は第一制御ユニット１１２、第一電力受電ユニット１１１及びスイッチ１３に電気的に接続され、第一制御ユニット１１２から発信される起動状態信号、及び第一電力受電ユニット１１１から発信される給電状態信号を受信する。このほか、第二制御ユニット１２１は受信した起動状態信号及び給電状態信号に基づき、スイッチ１３の導通／遮断状態を切り換えする。タイマーユニット１２２は第二制御ユニット１２１に電気的に接続され、第二制御ユニット１２１により駆動されてタイマーの機能を実行する。好ましい実施形態によれば、外部回路システム１２はカウントユニット１２３及び第二電力受電ユニット１２４を更に備え、それらの詳細は後述する。
【００２１】
本発明の運用プロセスを明確に説明するため、図２には主要なステップのプロセス図を示し、図１に示す部材の符合と共に本発明の運用プロセスを説明する。本発明に係る方法により電子装置１を運用する場合、第二制御ユニット１２１は以下のステップを実行する。
給電ユニット１４が供給する電力を受電するステップ２０１。
タイマーユニット１２２を駆動してタイマーをスタートするステップ２０２。
第一所定時間が経過した後、正常起動状態信号を受信したかを判断し、受信したならばプロセスを終了し、受信していない場合ステップ２０４に進むステップ２０３。
スイッチ１３に遮断信号を発信し、スイッチ１３を遮断状態に切り換えするステップ２０４。
カウントユニット１２３を駆動してリセット回数をカウントし、リセット回数に基づき設定ュネを調整するステップ２０５。
第一電力受電ユニット１１１から発信される給電状態信号を受信し、主回路システム１１が電源遮断状態にあるか確認し、主回路システム１１が電源遮断状態にない場合このステップを再実行し、主回路システム１１が電源遮断状態にある場合はステップ２０７に進むステップ２０６。
タイマーユニット１２２を駆動してタイマーをスタートするステップ２０７。
第二所定時間が経過した後、スイッチ１３に導通信号を発信し、スイッチ１３を導通状態に切り換えするステップ２０８。
第一電力受電ユニット１１１から発信される給電状態信号を受信し、主回路システム１１が正常給電状態にあるか確認し、ステップ２０２に戻るステップ２０９。
【００２２】
前述のプロセスでは、電子装置１全体が正常に運用されている場合ステップ２０３では、第二制御ユニット１２１は正常的起動状態信号を受信し、この場合電子装置１は通常状態の運用プロセスに属する。しかしながら、第一制御ユニット１１２が周辺ユニット１１３の動作状況に異常を発見すると、第一制御ユニット１１２は第二制御ユニット１２１に異常状態を示す起動状態信号を発信するか、或いは第一制御ユニット１１２自体に異常が発生した場合、第二制御ユニット１２１は第一制御ユニット１１２から発信された記起動状態信号を正常に受信できず、この２つの状況下では、本発明によるリセットプロセスに進み、第二制御ユニット１２１は本発明に係る方法により電子装置１を自動的に電源遮断／再通電し、電子装置自動リセットの目的を実現する。
【００２３】
前述のプロセスのステップについて更に詳細に説明する。図１及び図２に示すように、前述のステップ２０１では、電子装置１が起動すると給電ユニット１４は、第一電力受電ユニット１１１により電力を主回路システム１１のみに供給するのではなく、さらに第二電力受電ユニット１２４により電力を外部回路システム１２にも供給する。しかしながら、本発明はこれに限られず、本発明の他の実施方式では、異なる回路設計により外部回路システム１２には第二電力受電ユニット１２４が設置されず、給電ユニット１４が供給する電力を直接受電し、或いは、主回路システム１１とは完全に異なる他の給電ユニット（図示せず。例えば、外部回路システム１２に電池が内蔵されており、外部回路システム１２が電源から給電する等の主回路システム１１の電力源から独立したものになる）により、本発明の目的を達成する。
【００２４】
次は、主回路システム１１が起動すると、第一制御ユニット１１２は一定時間経過すると初期化を完成し、正常に機能を実行する。即ち前述のステップ２０２では、第二制御ユニット１２１により主回路システム１１が正常起動されてないと誤判断されるのを避けるため、第二制御ユニット１２１は先にタイマーユニット１２２を駆動させてタイマーをスタートし、予め設定された第一所定時間により第一制御ユニット１１２が妥当な状況下で正常な運用状態を確保する。次に、前述のステップ２０３では、第一所定時間を超過後、第二制御ユニット１２１は第一制御ユニット１１２から発信する起動状態信号に基づき、主回路システム１１が正常に運用されているか判断する。
【００２５】
電子装置１の周辺ユニット１１３の動作状況に異常が発生すると、第一制御ユニット１１２は従来の方式により排除を行う（例えば、動作異常が発生した周辺ユニット１１３に停止信号或いはリセット信号を発信して周辺ユニット１１３の機能を停止するか、或いは周辺ユニットのリセットを行う）。
【００２６】
しかしながら、前述の方式で排除できない場合、第一制御ユニット１１２は第二制御ユニット１２１に対し異常状態を示す起動状態信号を発信する。換言すれば、電子装置１は起動して第一所定時間が経過した後、或いは電子装置１が正常に起動して一定時間運用された後、第二制御ユニット１２１は第一制御ユニット１１２からの異常状態を示す起動状態信号を受信すると（例えば、周辺ユニット１１３にChip crashが発生した場合）、或いは第一制御ユニット１１２が発信する起動状態信号を未受信の場合（例えば、第一制御ユニット１１２自体に異常が発生した場合）、電子装置１の動作状況に異常が発生したことを示す。このため、前述ステップ２０４では、第二制御ユニット１２１はスイッチ１３に対し遮断信号を発信し、スイッチ１３が遮断状態に切り換えられることで主回路システム１１の給電を完全に切断し、主回路システム１１を強制終了し、本発明の「自動的な電源遮断」の目的を達成する。
【００２７】
上述したように、本発明の「自動的な電源遮断」の目的を達成した後、本発明の「自動的な再通電」の目的を達成する必要があり、これにより「電子装置の自動リセット」の目的を達成する。特に、電子装置１にエラーが発生し、何度もリセットされても正常状態を回復しない場合、好ましい実施形態では前述のステップ２０５のように、第二制御ユニット１２１はカウントユニット１２３により主回路システム１１に異常が発生したことで行われたリセット回数をカウントし、リセット回数が臨界値を超えるとリセットの条件（例えば、リセットの間隔等）を調整するか、或いはシステムのリセットを停止し、通知ユニット１２５（例えば、ＬＥＤ発光）を駆動して通知メッセージを表示し、電子装置１の管理者に手動で排除を行わせる（例えば、ハードウェアの検査等）。
【００２８】
図１と図２によれば、第二制御ユニット１２１が主回路システム１１に対しシステムのリセットが必要だと判断すると（例えば、リセット回数が閾値に達していない）、主回路システム１１が再通電された際に周辺ユニット１１３が完全に放電しておらず周辺ユニット１１３のリセットが不完全に終わり損害を被るのを回避するため、前述ステップ２０６では、第二制御ユニット１２１は第一電力受電ユニット１１１から発信される給電状態信号に基づき、主回路システム１１が電源遮断状態下（放電完了）にあるかを判断する。
【００２９】
このほか、主回路システム１１が十分に放電されたかを確認した後、前述のステップ２０７及びステップ２０８に於いて、第二制御ユニット１２１は更にタイマーユニット１２２を駆動してタイマーをスタートし、予め設定された第二所定時間が経過した後、スイッチ１３に対し導通信号を再度発信し、スイッチ１３を導通状態に切り換え、主回路システム１１が確実に十分に放電を完了した後、再度通電されて起動される。続いて、主回路システム１１が再通電されて起動された後、第二制御ユニット１２１は更に第一電力受電ユニット１１１から発信される給電状態信号を受信し、主回路システム１１が確実に正常給電状態にあるかを判断し、再び前述のステップ２０２に戻り、第一所定時間を再度経過した後、第一制御ユニット１１２は正常に主回路システム１１が正常に動作していることを示す起動状態信号を発信しているか継続的に監視する。
【００３０】
上述のように、本発明の前述の方法により、電子装置１の動作に異常が発生すると、周辺ユニット１１３に専用のリセット信号ピンが設置されていなくとも自動的に電源遮断／再通電を行わせる機能により、電子装置１の自動リセットの目的を有効的に達成する。
【００３１】
以上、本発明の実施形態について図面を参照して詳述したが、具体的な構成はこの実施形態に限られるものではなく、本発明の要旨を逸脱しない範囲の設計変更等も含まれる。
【符号の説明】
【００３２】
１  電子装置、
１１  主回路システム、
１１０  メインボード、
１１１  第一電力受電ユニット、
１１２  第一制御ユニット、
１１３  周辺ユニット、
１２  外部回路システム、
１２１  第二制御ユニット、
１２２  タイマーユニット、
１２３  カウントユニット、
１２４  第二電力受電ユニット、
１２５  通知ユニット、
１３  スイッチ、
１４  給電ユニット。
【図１】
2015122051.tif 000003
【図２】
2015122051.tif 000004